(57)【特許請求の範囲】
【請求項１】
蓄電池と、充放電回路とを有し、交流電源が正常な場合は、交流電源を電源としてバックアップ対象機器に電力を供給するとともに、前記充放電回路で前記蓄電池を充電し、交流電源が停電などの異常となった場合は、前記充放電回路で前記蓄電池を放電してバックアップ対象機器に電力を供給する無停電電源装置において、
前記蓄電池を第１の蓄電池と第２の蓄電池とで構成するとともに、
前記充放電回路と前記第１の蓄電池とを接続する第１のスイッチと、
前記充放電回路と前記第２の蓄電池とを接続する第２のスイッチと、
前記第１の蓄電池の交換時に開放する第１のカバーと、
前記第２の蓄電池の交換時に開放する第２のカバーと、
前記第１のカバーの開放を検出する第１のカバー開閉検出装置と、
前記第２のカバーの開放を検出する第２のカバー開閉検出装置と、
前記第１のカバーおよび前記第２のカバーの開閉状態により前記第１のスイッチおよび前記第２のスイッチの開閉を制御する制御回路と、
を備え、
前記第１のカバーの開放時には前記第１のスイッチを開放して、前記第１の蓄電池の交換を可能とし、また前記第２のカバーの開放時には前記第２のスイッチを開放して、前記第２の蓄電池の交換を可能とするようにしたことを特徴とする無停電電源装置。
【請求項２】
前記第２の蓄電池と、前記第２のカバーと、前記第２のカバー開閉検出装置と、前記第２のスイッチと、をバッテリユニットとして無停電電源装置とは分離設置可能とするようにしたことを特徴とする請求の範囲第１項に記載の無停電電源装置。
【請求項３】
表示装置および警報装置の少なくとも１つを有し、前記制御回路は前記第１のカバーまたは前記第２のカバーの開放時には、カバーの開放を警告するようにしたことを特徴とする請求の範囲第１項または請求の範囲第２項に記載の無停電電源装置。
【請求項４】
前記第１のカバーまたは前記第２のカバーにインタロック手段を備え、前記制御回路は前記第１のカバーの開放時には、前記第２のカバーをインタロックし、前記第２のカバーの開放時には、前記第１のカバーをインタロックするようにしたことを特徴とする請求の範囲第１項ないし請求の範囲第３項のいずれかに記載の無停電電源装置。
【発明の詳細な説明】
技術分野
この発明は、蓄電池を有し、通常は交流電源よりの電力をバックアップ対象機器に供給し、交流電源の停電時にはこの蓄電池からバックアップ対象機器に電力を供給する無停電電源装置に関するものである。
背景技術
第４図は従来の無停電電源装置の構成を示す図である。図において、４０は交流電源、４１ａは無停電電源装置、４２は例えばコンピュータシステムなど、交流電源４０の停電時に無停電電源装置４１ａがバックアップ対象とするバックアップ対象機器である。また、５０は無停電電源装置４１ａに内蔵される蓄電池、５１は交流電源４０が正常な場合は、交流電源４０により蓄電池５０を充電し、また停電や瞬停など交流電源４０が異常となった場合には、蓄電池５０を放電することによりバックアップ対象機器４２に電力を供給する充放電回路、５２は蓄電池５０と充放電回路５１とを接続するコネクタである。また、５３ａは蓄電池５０を収納する無停電電源装置４１ａの筐体、５４は蓄電池５０の交換で使用する開口部、５５ａは開口部５４を開閉するカバー、５６は光スイッチなどを利用してカバー５５ａの開閉状態を検出するカバー開放検出装置、５７は充放電回路５２を交流電源４０から遮断する充放電回路遮断スイッチである。
無停電電源装置４１ａは、交流電源４０が正常な場合は、交流電源４０によりバックアップ対象機器４２に電力を供給するとともに、充放電回路遮断スイッチ５７を閉じて、交流電源４０と充放電回路５１とを接続して蓄電池５０を充電する。また、交流電源４０が停電や瞬停などの異常となった場合は、無停電電源装置４１ａは、バックアップ電源として、蓄電池５０を放電してバックアップ対象機器４２に電力を供給する。蓄電池５０は、繰り返し充電可能であるが、経時変化によりバッテリ給電可能時間が短縮されるので、通常は２〜３年程度で交換する。
無停電電源装置４１ａは、カバー５５ａの開閉状態をカバー開放検出装置５６で検出しており、カバー５５ａを開いた時には、蓄電池５０の交換と判断して、充放電回路遮断スイッチ５７を開き、充放電回路５１を交流電源４０から遮断する。これにより、蓄電池５０に充電電流が流れている充電中に蓄電池５０の交換を行うことを防止することができる。
第５図は従来の無停電電源装置の構成を示す図で、別置きとなるバッテリユニットを増設したものである。図において、４０、４２、５０〜５２、５４、５７は、第４図と同様であり、その説明を省略する。また、４１ｂは無停電電源装置、５３ｂは蓄電池５０を収納する無停電電源装置４１ｂの筐体、５５ｂは開口部５４を開閉するカバー、５８は充放電回路遮断スイッチ５７を開閉する蓄電池交換指示スイッチ、６０は無停電電源装置４１ｂと別置きとなるバッテリユニット、６１はバッテリユニット６０に内蔵され、蓄電池５０と並列に接続される補助の蓄電池、６２は補助蓄電池６１を接続するコネクタである。
第４図の無停電電源装置４１ａは、蓄電池として無停電電源装置４１ａに内蔵される蓄電池５０だけの例を示したが、第５図の無停電電源装置４１ｂはバックアップ時間を延長するために、補助蓄電池６１を内蔵するバッテリユニット６０を増設し、蓄電池を蓄電池５０と補助蓄電池６１とで構成するようにした例を示したものである。
無停電電源装置４１ｂは、交流電源４０が正常な場合は、交流電源４０によりバックアップ対象機器４２に電力を供給するとともに、充放電回路遮断スイッチ５７を閉じて、交流電源４０と充放電回路５１とを接続して蓄電池（蓄電池５０および補助蓄電池６１）を充電する。また、無停電電源装置４１ｂは、交流電源４０が停電や瞬停などの異常となった場合は、バックアップ電源として、蓄電池（蓄電池５０および補助蓄電池６１）を放電してバックアップ対象機器４２に電力を供給する。
無停電電源装置４１ｂにおける蓄電池（蓄電池５０および補助蓄電池６１）の交換においては、無停電電源装置４１ｂに内蔵される蓄電池５０の交換時にはカバー５５ｂを開くが、無停電電源装置４１ｂの別置きとなるバッテリユニット６０に内蔵される補助蓄電池６１の交換時にはカバー５５ｂを開くことがない。このため、蓄電池交換指示用スイッチ５８を設け、蓄電池（蓄電池５０および補助蓄電池６１）の交換時には、蓄電池交換指示用スイッチ５８を操作するようにしている。蓄電池交換指示用スイッチ５８が操作された場合には、蓄電池交換の指令と判断し、充放電回路遮断スイッチ５７を開放させて、充放電回路５１を交流電源４０から遮断する。
従来の無停電電源装置における蓄電池の交換については、上述のようにカバー開放検出装置５６または蓄電池交換指示用スイッチ５８の操作により、充放電遮断スイッチ５７を開放させ、充電中に蓄電池の交換をしないように保護しているが、蓄電池の交換時に停電や瞬停が発生すると、停電時にバックアップ電源としてバックアップ対象機器に電力を供給するという無停電電源装置本来の機能が果たせなくなってしまうという問題点があった。
この発明は、上述のような課題を解決するためになされたもので、蓄電池の交換時に停電や瞬停が発生しても、バックアップ対象機器に電力を供給することができる無停電電源装置を得ることを目的とするものである。
発明の開示
この発明の無停電電源装置は、蓄電池と、充放電回路とを有し、交流電源が正常な場合は、交流電源を電源としてバックアップ対象機器に電力を供給するとともに、前記充放電回路で前記蓄電池を充電し、交流電源が停電などの異常となった場合は、前記充放電回路で前記蓄電池を放電してバックアップ対象機器に電力を供給する無停電電源装置において、
蓄電池を第１の蓄電池と第２の蓄電池とで構成するとともに、充放電回路と第１の蓄電池とを接続する第１のスイッチと、充放電回路と第２の蓄電池とを接続する第２のスイッチと、第１の蓄電池の交換時に開放する第１のカバーと、第２の蓄電池の交換時に開放する第２のカバーと、第１のカバーの開放を検出する第１のカバー開閉検出装置と、第２のカバーの開放を検出する第２のカバー開閉検出装置と、第１のカバーおよび第２のカバーの開閉状態により第１のスイッチおよび第２のスイッチの開閉を制御する制御回路と、を備え、
第１のカバーの開放時には第１のスイッチを開放して、第１の蓄電池の交換を可能とし、また第２のカバーの開放時には第２のスイッチを開放して、第２の蓄電池の交換を可能とするようにしたものである。
また、第２の蓄電池と、第２のカバーと、第２のカバー開閉検出装置と、第２のスイッチと、をバッテリユニットとして無停電電源装置とは分離設置可能とするとともに、コネクタを介して充放電回路と接続するようにしたものである。
さらに、表示装置および警報装置の少なくとも１つを有し、制御回路は第１のカバーまたは第２のカバーの開放時には、カバーの開放を警告するようにしたものである。
また、第１のカバーまたは第２のカバーにインタロック手段を備え、制御回路は第１のカバーの開放時には、第２のカバーをインタロックし、第２のカバーの開放時には、第１のカバーをインタロックするようにしたものである。
【図面の簡単な説明】
第１図は、この発明の実施の形態１に係る第１の蓄電池と第２の蓄電池とを備えた無停電電源装置の構成を示す図である。
第２図は、この発明の実施の形態２に係る無停電電源装置の構成を示す図で、カバー開放のエラーメッセージを表示する表示器、カバー開放の警報出力をする警報出力部、一方のカバーの開放時に他方のカバーをインタロックするインタロック手段を備えたものである。
第３図は、この発明の実施の形態３に係る無停電電源装置の構成を示す図で、第１のバッテリユニットおよび第２のバッテリユニットを無停電電源装置の外部に設置したものである。
第４図は従来の無停電電源装置の構成を示す図である。
第５図は従来の無停電電源装置の構成を示す図で、別置きとなるバッテリユニットを増設したものである。
発明を実施するための最良の形態
実施の形態１．
第１図は、この発明の実施の形態１に係る第１の蓄電池と第２の蓄電池とを備えた無停電電源装置の構成を示す図である。図において、１ａは無停電電源装置、２は第１の蓄電池、３は交流電源４０が正常な場合は、交流電源４０により第１の蓄電池２および後述の第２の蓄電池２１ａを充電し、また停電や瞬停など交流電源４０が異常となった場合には、第１の蓄電池２および後述の第２の蓄電池２１ａを放電することによりバックアップ対象機器４２に電力を供給する充放電回路である。また、４ａは第１の蓄電池２を収納する無停電電源装置１ａの筐体、５ａは第１の蓄電池２の交換で使用する筐体４ａの開口部、６ａは開口部５ａを開閉する第１のカバー、７ａは第１のカバー６ａの開閉状態を検出する第１のカバー開放検出装置、８は充放電回路３と第１の蓄電池２との接続を開閉する第１のスイッチ、９は第１の蓄電池２と第１のスイッチ８とを接続する第１のコネクタ、１０は充放電回路３と後述の第２の蓄電池２１ａとの接続を開閉する第２のスイッチ、１１ａは後述の第２のカバー２５ａの開閉状態を検出する第２のカバー開放検出装置、１２ａは第１のカバー６ａおよび第２のカバー２５ａの開閉状態により、第１のスイッチ８および第２のスイッチ１０の開閉を制御する制御回路である。
また、２０ａは無停電電源装置１ａの外部に設置されるバッテリユニット、２１ａはバッテリユニット２０ａに内蔵される第２の蓄電池、２２は第２の蓄電池２１ａを接続する第２のコネクタである。また、２３ａは第２の蓄電池２１ａを収納する筐体、２４ａは第２の蓄電池２１ａの交換で使用する筐体２３ａの開口部、２５ａは開口部２４ａを開閉する第２のカバー、２６は第２のカバー２５ａに設けられる動作片である。また、２７ａは第２のカバー２５ａ開閉時に動作片２６により開閉する第２のカバー開閉スイッチ、２８は第２のカバー開閉スイッチ２７ａと並列に接続される第２のカバー開閉検出用抵抗である。
バッテリユニット２０ａの第２のカバー２５ａを開くと、第２のカバー開閉スイッチ２７ａを開放していた動作片２６が外れ、第２のカバー開閉スイッチ２７ａが閉成する。第２のカバー開放検出装置１１ａは、第２のカバー開閉スイッチ２７ａと並列に接続される第２のカバー開閉検出用抵抗２８の抵抗値を検出していて、第２のカバー開閉スイッチ２７ａが閉成して、第２のカバー開閉検出用抵抗２８との閉回路が構成された結果として抵抗０Ωを検出した場合に、バッテリユニット２０ａの第２のカバー２５ａが開放していると判断する。
制御回路１２ａは、第１のカバー開放検出装置７ａおよび第２のカバー開放検出装置１１ａからの情報により第１のカバー６ａおよび第２のカバー２５ａの開閉状態を判断し、第１のカバー６ａが開放された場合は充放電回路３と第１の蓄電池２とを接続する第１のスイッチ８を開放し、第２のカバー２５ａが開放された場合は充放電回路３と第２の蓄電池２１ａとを接続する第２のスイッチ１０を開放する。
無停電電源装置１ａは、交流電源４０が正常な場合は、バックアップ対象機器４２に電力を供給するとともに、充放電回路３と第１の蓄電池２とを接続する第１のスイッチ８および充放電回路３と第２の蓄電池２１ａとを接続する第２のスイッチ１０を閉じて、充放電回路３により蓄電池（第１の蓄電池２および第２の蓄電池２１ａ）を充電する。また、交流電源４０が停電や瞬停などの異常となった場合に、無停電電源装置１ａは、バックアップ電源として、蓄電池（第１の蓄電池２および第２の蓄電池２１ａ）を放電してバックアップ対象機器４２に電力を供給する。
制御回路１２ａは、第１のカバー６ａが開かれた時には充放電回路３と第１の蓄電池２とを接続する第１のスイッチ８を開放し、第１の蓄電池２の交換を可能とする。この場合、充放電回路３と第２の蓄電池２１ａとを接続する第２のスイッチ１０は閉じているので、バックアップ電源として有効である。また、制御回路１２ａは、第２のカバー２５ａが開かれた時には充放電回路３と第２の蓄電池２１ａとを接続する第２のスイッチ１０を開放し、第２の蓄電池２１ａの交換を可能とする。この場合、充放電回路３と第１の蓄電池２とを接続する第１のスイッチ８は閉じているので、バックアップ電源として有効である。
上述のように、実施の形態１においては、無停電電源装置における蓄電池を少なくとも２個以上の蓄電池で構成し、交換対象となる蓄電池を個別に絶縁するようにしたので、蓄電池の交換が安全に行えるとともに、蓄電池の交換中に停電や瞬停などの電源異常が発生しても、バックアップ電源としてバックアップ対象機器に電力を供給できる。
実施の形態２．
第２図は、この発明の実施の形態２に係る無停電電源装置の構成を示す図で、カバー開放のエラーメッセージを表示する表示器、カバー開放の警報出力をする警報出力部、一方のカバーの開放時に他方のカバーをインタロックするインタロック手段を備えたものである。図において、２、３、７ａ、８〜１０、２１ａ、２２、２６、２７ａ、２８、４０、４２は第１図と同様であり、その説明を省略する。また、１ｂは無停電電源装置、４ｂは第１の蓄電池２を収納する無停電電源装置１ｂの筐体、５ｂは第１の蓄電池２の交換で使用する開口部、６ｂは開口部５ｂを開閉するカバー、１１ｂは後述の第２のカバー２５ｂの開閉状態を検出する第２のカバー開放検出装置、１２ｂは第１のカバー６ｂおよび第２のカバー２５ｂの開閉状態により、充放電回路３と第１の蓄電池２とを接続する第１のスイッチ８および充放電回路３と第２の蓄電池２１ａとを接続する第２のスイッチ１０の開閉を制御する制御回路である。
また、２０ｂは無停電電源装置１ｂの外部に設置されるバッテリユニット、２３ｂは第２の蓄電池２１ａを収納する筐体、２４ｂは第２の蓄電池２１ａの交換で使用する開口部、２５ｂは開口部２４ｂを開閉する第２のカバーである。
また、３０は第１のカバー６ｂまたは第２のカバー２５ｂが開かれた時にカバー開放のエラーメッセージを表示する表示器、３１は第１のカバー６ｂまたは第２のカバー２５ｂが開かれた時にカバー開放の警報出力をする警報出力部である。また、３２は無停電電源装置１ｂの開口部５ｂと第１のカバー６ｂとをインターロックする第１のカバーインターロック部、３３は第２の開口部２４ｂと第２のカバー２５ｂとをインターロックする第２のカバーインターロック部である。
制御回路１２ｂは、第１のカバー６ｂが開かれた時には充放電回路３と第１の蓄電池２とを接続する第１のスイッチ８を開放し、第１の蓄電池２の交換を可能とするとともに、表示器３０および警報出力部３１にカバー開放の出力をする。この場合、充放電回路３と第２の蓄電池２１ａとを接続する第２のスイッチ１０は閉じているので、バックアップ電源として有効である。また、第１のカバー６ｂが開かれた時には第２のインターロック部３３により第２のカバー２５ｂをインターロックする。また、制御回路１２ｂは、第２のカバー２５ｂが開かれた時には充放電回路３と第２の蓄電池２１ａとを接続する第２のスイッチ１０を開放し、第２の蓄電池２１ａの交換を可能とするとともに、表示器２０および警報出力部２１ａにカバー開放の出力をする。この場合、充放電回路３と第１の蓄電池２を接続する第１のスイッチ８は閉じているので、バックアップ電源として有効である。また、第２のカバー２５ｂが開かれた時には第１のインターロック部３２により第１のカバー６ｂをインターロックする。
上述のように実施の形態２においては、第１の蓄電池２を内蔵している無停電電源装置１ｂのカバー６ｂが開かれた時には、第２の蓄電池２１ａを内蔵しているバッテリユニット２０ｂの第２のカバー２５ｂをインターロックし、第２の蓄電池２１ａを内蔵しているバッテリユニット２０ｂの第２のカバー２５ｂが開かれた時には、第１の蓄電池２を内蔵している無停電電源装置１ｂのカバー６ｂをインターロックするようにしたので、無停電電源装置の蓄電池（第１の蓄電池２および第２の蓄電池２１ａ）の片方を確実に接続した状態で蓄電池の交換ができ、蓄電池の交換中に停電や瞬停などの電源異常が発生しても、バックアップ電源としてバックアップ対象機器に電力を供給できる。
また、無停電電源装置１ｂのカバー６ｂまたはバッテリユニット２０ｂの第２のカバー２５ｂが開かれた時には、表示器３０でカバー開放のエラーメッセージを表示し、警報出力部３１でカバー開放の警報出力をするようにしたので、蓄電池（第１の蓄電池２および第２の蓄電池２１ａ）の片方が絶縁され、バッテリ給電時間が短くなっている状態であることを、オペレータに認識させることができる。
上述の第２図においては、カバー開放のエラーメッセージを表示する表示器３０と、カバー開放の警報出力をする警報出力部３１との両方を備えた例を示したが、いずれか片方のみを備えるようにしても良い。
実施の形態３．
第３図は、この発明の実施の形態３に係る無停電電源装置の構成を示す図で、第１のバッテリユニットおよび第２のバッテリユニットを無停電電源装置の外部に設置したものである。図において、２、３、７ａ、２２、２６、４０、４２は第１図と同様であり、その説明を省略する。また、１ｃは無停電電源装置、４ｃは第１の蓄電池２を収納する無停電電源装置１ｃの筐体、５ｃは第１の蓄電池２の交換で使用する筐体４ｃの開口部、６ｃは開口部５ｃを開閉する第１のカバー、１２ｃは第１のカバー５ｃ、後述の第２のカバー２５ｃおよび後述の第３のカバー２５ｄの開閉状態により、充放電回路３と第１の蓄電池２とを接続する第１のスイッチ８、充放電回路３と後述の第２の蓄電池２１ａとを接続する後述の第２のスイッチ３４ａおよび充放電回路３と後述の第３の蓄電池２１ｂとを接続する後述の第３のスイッチ３４ｂの開閉を制御する制御回路である。
また、２０ｃは無停電電源装置１ｃの外部に設置される第１のバッテリユニット、２０ｄは無停電電源装置１ｃの外部に設置される第２のバッテリユニット、２１ａは第２の蓄電池、２１ｂは第３の蓄電池、２３ｃは第２の蓄電池２１ａを収納する筐体、２３ｄは第３の蓄電池２１ｂを収納する筐体、２４ｃは第２の蓄電池２１ａの交換で使用する筐体２３ｃの開口部、２４ｄは第３の蓄電池２１ｂの交換で使用する筐体２３ｄの開口部、２５ｃは開口部２４ｃを開閉する第２のカバー、２５ｄは開口部２４ｄを開閉する第３の保護カバー、２７ａは第２のカバー２５ｃ開閉時に動作片２６により開閉する第２のカバー開閉スイッチ、２７ｂは第３のカバー２５ｄ開閉時に動作片２６により開閉する第３のカバー開閉スイッチ、３４ａは充放電回路３と第２の蓄電池２１ａとを接続する第２のスイッチ、３４ｂは充放電回路３と第３の蓄電池２１ｂとを接続する第３のスイッチ、３５ａは第２のカバー開閉スイッチ２７ａと並列に接続される第２のカバー開閉検出用抵抗、３５ｂは第３のカバー開閉スイッチ２７ｂと並列に接続される第３のカバー開閉検出用抵抗、３６ａは第２のカバー２５ｃの開閉状態を検出する第２のカバー開放検出装置、３６ｂは第３のカバー２５ｄの開閉状態を検出する第３のカバー開放検出装置である。
第１のバッテリユニット２０ｃにおいて、第２のカバー２５ｃを開くと、第２のカバー開閉スイッチ２７ａを開放していた動作片２６が外れ、第２のカバー開閉スイッチ２７ａが閉成する。第２のカバー開放検出装置３６ａは、第２のカバー開閉検出用抵抗３５ａの抵抗値を検出していて、第２のカバー開閉スイッチ２７ａが閉成して、第２のカバー開閉検出用抵抗３５ａとの閉回路が構成された結果として抵抗０Ωを検出した場合に、第２のカバー２５ｃが開放していると判断する。
また、第２のバッテリユニット２０ｄにおいても同様に、第３のカバー２５ｄを開くと、第３のカバー開閉スイッチ２７ｂを開放していた動作片２６が外れ、第３のカバー開閉スイッチ２７ｂが閉成する。第３のカバー開放検出装置３６ｂは、第３のカバー開閉検出用抵抗３５ｂの抵抗値を検出していて、第３のカバー開閉スイッチ２７ｂが閉成して、第３のカバー開閉検出用抵抗３５ｂとの閉回路が構成された結果として抵抗０Ωを検出した場合に、第３のカバー２５ｄが開放していると判断する。第３図においては、第３のカバー２５ｄが開放していて、第３のカバー開閉スイッチ２７ｂが閉成している例を示した。
制御回路１２ｃは、第１のカバー開放検出装置７ａ、第２のカバー開放検出装置３６ａおよび第３のカバー開放検出装置３６ｂからの情報により第１のカバー６ｃ、第２のカバー２５ｃおよび第３のカバー２５ｄの開閉状態を判断し、充放電回路３と第１の蓄電池２とを接続する第１のスイッチ８、充放電回路３と第２の蓄電池２１ａとを接続する第２のスイッチ３４ａおよび充放電回路３と第３の蓄電池２１ｂとを接続する第３のスイッチ３４ｂを開閉制御する。
無停電電源装置１ｃは、交流電源４０が正常な場合は、バックアップ対象機器４２に電力を供給するとともに、充放電回路３と第１の蓄電池２とを接続する第１のスイッチ８、充放電回路３と第２の蓄電池２１ａとを接続する第２のスイッチ３４ａおよび充放電回路３と第３の蓄電池２１ｂとを接続する第３のスイッチ３４ｂを閉じて、充放電回路３により蓄電池（第１の蓄電池２、第２の蓄電池２１ａおよび第３の蓄電池２１ｂ）を充電する。また、交流電源４０が停電や瞬停などの異常となった場合に、無停電電源装置１ｃは、バックアップ電源として、蓄電池（第１の蓄電池２、第２の蓄電池２１ａおよび第３の蓄電池２１ｂ）を放電してバックアップ対象機器４２に電力を供給する。
蓄電池（第１の蓄電池２、第２の蓄電池２１ａおよび第３の蓄電池２１ｂ）の交換時、制御回路１２ｃは、第１のカバー６ａが開かれた時には充放電回路３と第１の蓄電池２とを接続する第１のスイッチ８を開放し、第１の蓄電池２の交換を可能とする。この場合、充放電回路３と第２の蓄電池２１ａとを接続する第２のスイッチ３４ａおよび充放電回路３と第３の蓄電池２１ｂとを接続する第３のスイッチ３４ｂは閉じているので、バックアップ電源として有効である。また、同様に、制御回路１２ｃは、第２のカバー２５ｃ（または第３のカバー２５ｄ）が開かれた時には、充放電回路３と第２の蓄電池２１ａとを接続する第２のスイッチ３４ａ（または充放電回路３と第３の蓄電池２１ｂとを接続する第３のスイッチ３４ｂ）を開放し、第２の蓄電池２１ａ（または第３の蓄電池２１ｂ）の交換を可能とする。この場合、充放電回路３と第１の蓄電池２とを接続する第１のスイッチ８および充放電回路３と第３の蓄電池２１ｂとを接続する第３のスイッチ３４ｂ（または、充放電回路３と第１の蓄電池２とを接続する第１のスイッチ８および充放電回路３と第２の蓄電池２１ａとを接続する第２のスイッチ３４ａ）は閉じているので、バックアップ電源として有効である。
実施の形態１では、無停電電源装置１ａに、第２のカバー開閉スイッチ２７ａと並列に接続される第２のカバー開閉検出用抵抗２８と、第２のカバー開閉検出用抵抗２８の抵抗値を検出し、第２のカバー２５ａが開放しているか否かを判断する第２のカバー開放検出装置１１ａとを備えた例を示したが、
実施の形態３では、第２のカバー開閉スイッチ２７ａ（または第３のカバー開閉スイッチ２７ｂ）と並列に接続される第２のカバー開閉検出用抵抗３５ａ（または第３のカバー開閉検出用抵抗３５ｂ）と、第２のカバー開閉検出用抵抗３５ａ（または第３のカバー開閉検出用抵抗３５ｂ）の抵抗値を検出し、第２のカバー２５ｃ（または第３のカバー２５ｄ）が開放しているか否かを判断する第２のカバー開放検出装置３６ａ（または第３のカバー開放検出装置３５ｂ）とを、バッテリユニット２０ｃ（または、バッテリユニット２０ｄ）に備えたものである。
実施の形態３においては、無停電電源装置の外部に設置するバッテリユニットにカバー開放検出装置を設け、カバー開放検出結果を無停電電源装置に送信し、充放電回路と蓄電池とを接続するスイッチの開閉の制御をするようにしたので、バッテリユニットを複数台接続した場合にも、バッテリユニット毎に独立して蓄電池の交換ができる。
上述の実施の形態３においては、無停電電源装置１ｃに第１のバッテリユニット２０ｃおよび第２のバッテリユニット２０ｄとの２個のバッテリユニットを接続した例を示したが、通常は第１のバッテリユニット２０ｃを接続しておき、蓄電池交換時においてバックアップ時間を確保するために、蓄電池交換時に第２のバッテリユニット２０ｄを追加接続するようにしても良い。
産業上の利用可能性
以上のように、本発明にかかる無停電電源装置は、蓄電池の交換時においても、常時安定した電力を必要とするコンピュータなどの機器のバックアップ電源として用いられるのに適している。
【図１】
0003750655.tif 000002
【図２】
0003750655.tif 000003
【図３】
0003750655.tif 000004
【図４】
0003750655.tif 000005
【図５】
0003750655.tif 000006